(57)【要約】【課題】基板に外力が加わったとしても基板を撓み難くすることが可能な遊技機を提供する。【解決手段】スロットマシンは、演出制御に応じて発光する電飾装置２０を備えており、電飾装置２０は、ＬＥＤが設置された基板２７と、ＬＥＤからの光を透過するレンズを有するインナーレンズ２６と、基板２７に対向しかつ基板２７から所定距離の位置にレンズが位置するように、インナーレンズ２６を支持する内フレーム２２と、を備えている。そして、インナーレンズ２６は、先端が基板２７の前面に近接する外縁脚部２６ｃ，２６ｇと中央脚部２６ｄ，２６ｈとを有している。基板２７に外力が加わったとしても基板２７に中央脚部２６ｄ，２６ｈの先端が当接し、基板２７の撓みを抑える。【選択図】図４
2018158030.tif 000002
【特許請求の範囲】
【請求項１】
演出制御に応じて発光する電飾装置を備えた遊技機において、
前記電飾装置は、
発光源が設置された基板と、
前記発光源からの光を透過する透過部を有する透過部材と、
前記基板に対向しかつ前記基板から所定距離の位置に前記透過部が位置するように、前記透過部材を支持する支持部材と、を備え、
前記透過部材は、先端が前記基板の前記透過部が対向する面に近接する脚部を有する、
ことを特徴とする遊技機。
【請求項２】
前記脚部の先端と前記基板の前記透過部材が対向する面との間にクリアランスを有している、
ことを特徴とする請求項１に記載の遊技機。
【請求項３】
前記基板は、前記透過部材が対向する面とは反対側の面に、配線が接続されるコネクタを有し、
前記脚部の先端は、前記基板の面に直交する方向において前記コネクタと少なくとも一部が重なる位置に配置されている、
ことを特徴とする請求項１又は２に記載の遊技機。
【請求項４】
演出制御に応じて発光する電飾装置を備えた遊技機において、
前記電飾装置は、
発光源が設置された基板と、
前記発光源からの光を透過する第１透過部を有する第１透過部材と、
前記第１透過部と前記基板との間にあって、前記基板に対向しかつ前記基板から所定距離の位置に配置され、前記発光源からの光を前記第１透過部に導光する第２透過部を有する第２透過部材と、を備え、
前記第２透過部材は、先端が前記基板の前記第２透過部が対向する面に近接する脚部を有する、
ことを特徴とする遊技機。
【発明の詳細な説明】
【技術分野】
【０００１】
本発明は、遊技機に関する。
【背景技術】
【０００２】
従来、パチンコ機やスロットマシン等の遊技機において、遊技の進行に基づく演出制御により発光させることで、演出を盛り上げる電飾装置を備えたものがある。このような電飾装置の中には、ＬＥＤが設置された基板に対向する位置にあって、基板とアウターレンズ（サイドレンズ、文字レンズ、ランプレンズ等）との間に介在するようにインナーレンズが配置されたものがある（特許文献１、特許文献２参照）。このように構成された電飾装置では、インナーレンズによってＬＥＤの光を拡散させることで、アウターレンズを通して視認されるＬＥＤの光が点状となってしまうことを防止している。即ち、例えば設計上の制約などによってＬＥＤとアウターレンズとの距離が長くできない場合であっても、インナーレンズによって光を拡散することで、アウターレンズ全体を均等化して光らせることができ、電飾装置としての外観性の向上が図られている。
【先行技術文献】
【特許文献】
【０００３】
【特許文献１】特開２０１３−３４５０４号公報
【特許文献２】特開２０１５−１６２４１７号公報
【発明の概要】
【発明が解決しようとする課題】
【０００４】
ところで、ＬＥＤが設置される基板には、コネクタに配線を接続する場合や製造時に基板自体を取り付ける場合などに外力が加わることがあり、基板に撓みが発生すると、基板に曲りが発生したり故障の原因となったりする虞がある。そのため、基板に外力が発生しても、基板が撓み難い構造とすることが望まれる。
【０００５】
そこで本発明は、基板に外力が加わったとしても基板を撓み難くすることが可能な遊技機を提供することを目的とするものである。
【課題を解決するための手段】
【０００６】
（１）本発明に係る遊技機（１）は、
演出制御に応じて発光する電飾装置（２０）を備えた遊技機（１）において、
前記電飾装置（２０）は、
発光源（４１）が設置された基板（２７）と、
前記発光源（４１）からの光を透過する透過部（２６ａＬ，２６ｂＬ）を有する透過部材（２６）と、
前記基板（２７）に対向しかつ前記基板（２７）から所定距離（Ｄ）の位置に前記透過部（２６ａＬ，２６ｂＬ）が位置するように、前記透過部材（２６）を支持する支持部材（２２）と、を備え、
前記透過部材（２６）は、先端が前記基板（２７）の前記透過部（２６ａＬ，２６ｂＬ）が対向する面（２７ａ）に近接する脚部（２６ｃ，２６ｄ，２６ｇ，２６ｈ）を有することを特徴とする。
【０００７】
（２）また、本発明に係る遊技機（１）は、
前記脚部（２６ｃ，２６ｄ，２６ｇ，２６ｈ）の先端（２６ｅ，２６ｆ，２６ｉ，２６ｊ）と前記基板（２７）の前記透過部材（２６）が対向する面（２７ａ）との間にクリアランスを有していることを特徴とする。
【０００８】
（３）また、本発明に係る遊技機（１）は、
前記基板（２７）は、前記透過部材（２６）が対向する面（２７ａ）とは反対側の面（２７ｂ）に、配線が接続されるコネクタ（４３，４５）を有し、
前記脚部（２６ｄ，２６ｈ）の先端（２６ｆ，２６ｊ）は、前記基板（２７）の面（２７ａ，２７ｂ）に直交する方向において前記コネクタ（４３，４５）と少なくとも一部が重なる位置に配置されていることを特徴とする。
【０００９】
（４）そして、本発明に係る遊技機（１）は、
演出制御に応じて発光する電飾装置（２０）を備えた遊技機（１）において、
前記電飾装置（２０）は、
発光源（４１）が設置された基板（２７）と、
前記発光源（４１）からの光を透過する第１透過部（２５ａＬ，２５ｂＬ）を有する第１透過部材（２５）と、
前記第１透過部（２５ａＬ，２５ｂＬ）と前記基板（２７）との間にあって、前記基板（２７）に対向しかつ前記基板（２７）から所定距離（Ｄ）の位置に配置され、前記発光源（４１）からの光を前記第１透過部（２５ａＬ，２５ｂＬ）に導光する第２透過部（２６ａＬ，２６ｂＬ）を有する第２透過部材（２６）と、を備え、
前記第２透過部材（２６）は、先端が前記基板（２７）の前記第２透過部（２６ａＬ，２６ｂＬ）が対向する面（２７ａ）に近接する脚部（２６ｃ，２６ｄ，２６ｇ，２６ｈ）を有することを特徴とする。
【００１０】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１１】
本発明によると、レンズ部材が基板のレンズが対向する面に近接する脚部を有しているので、基板に外力が加わったとしても基板に脚部の先端が当接することで基板を支持することができ、基板の撓みを抑えることができる。また、レンズ部材を支持部材に組付ける場合には、脚部を掴んで取付け作業を行うことができ、取付け作業を容易にすることができる。
【図面の簡単な説明】
【００１２】
【図１】本実施形態における遊技機の外観構成を示す斜視図である。
【図２】本実施形態における電飾装置の外観構成を示す斜視図である。
【図３】本実施形態における電飾装置を前方側から視た分解斜視図である。
【図４】本実施形態における電飾装置を後方側から視た分解斜視図である。
【図５】本実施形態におけるインナーレンズを後方側から視た斜視図である。
【図６】本実施形態における電飾装置の組立時を説明する分解斜視図である。
【図７】本実施形態における基板とインナーレンズとの位置関係を示す断面図で、（ａ）は基板及びインナーレンズの全体を示す断面図、（ｂ）は（ａ）におけるＡ部分の拡大断面図である。
【発明を実施するための形態】
【００１３】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。
【００１４】
１．スロットマシンの概略構成
まず、本発明の実施形態に係るスロットマシン１の概略構成について図１を用いて説明する。図１は本発明の実施形態に係るスロットマシン１の外観構成を示す斜視図である。本実施形態のスロットマシン１は、いわゆる回胴式遊技機と呼ばれるもので、メダルを遊技媒体として用いた遊技を行う種類の遊技機である。なお、本実施形態のスロットマシン１を説明する上で、遊技者が対向して着座する側を「前」、その反対側を「後」とし、前側から後側に向かった方向を基準として「左」又は「右」として説明する。
【００１５】
本実施形態のスロットマシン１は、６面体構造のうち遊技者に対向する１面が開口した箱形の筐体１０内に複数のリールとしての第１リール〜第３リールからなるリールユニット（不図示）が表示窓６３から視認できる位置に収められている。また、筐体１０内のリールユニットの下部には、メダルの払出装置としてのホッパーユニット（不図示）が収められている。また、本実施形態のスロットマシン１の筐体内には、ＣＰＵ、ＲＯＭ（情報記憶媒体の一例）、ＲＡＭ等を搭載し、スロットマシン１の動作を制御する制御基板（不図示）も収められている。
【００１６】
筐体１０の開口する面を被覆する前面上扉６１と前面下扉６２とは、個別に開閉可能に設けられている。前面上扉６１には、上述した第１リール〜第３リールの回転状態及び停止状態を観察可能にする表示窓６３が設けられている。例えば第１リール〜第３リールの停止状態では、それぞれの外周面に一定間隔で配列された複数種類の図柄のうち、外周面上に連続して配列されている３つの図柄（上段図柄、中段図柄、下段図柄）をスロットマシン１の正面から表示窓６３を通じて観察できるようになっている。
【００１７】
また、本実施形態のスロットマシン１では、表示窓６３を通じて図柄を観察するための表示位置として、各リールについて上段、中段、下段が設けられており、各リールの表示位置の組合せによって有効ラインが設定されている。なお、本実施形態のスロットマシン１では、１回の遊技に関して必要となるメダルの数、いわゆる規定投入数が３枚に設定され、規定投入数に相当するメダルが投入されると例えば上記３つの図柄の中段によって構成される有効ラインが有効化される。
【００１８】
そして、遊技結果は、表示窓６３内の有効ライン上に停止表示された図柄組合せによって判定され、有効ライン上の図柄組合せが予め定められた役に対応した図柄組合せである場合に、その役が入賞したものとしてホッパーユニットからメダルの払い出し等が行われる。
【００１９】
前面上扉６１には、遊技演出を行うための表示装置６４が設けられている。表示装置６４は、例えば液晶ディスプレイから構成され、遊技を補助したり、遊技を盛り上げたりするための各種の映像や画像が表示される。また、前面上扉６１の上部には、詳しくは後述する遊技演出を行うための電飾装置２０が設けられている。
【００２０】
前面下扉６２には、各種の操作手段が設けられている。操作手段としては、クレジット（貯留）されたメダルを投入する操作を行うための投入操作手段として、規定投入数のメダルを投入するマックスベットを実行するマックスベットボタン６６、第１リール〜第３リールを回転させて遊技を開始する契機となる開始操作を遊技者に実行させるための遊技開始操作手段としてのスタートレバー６７、回転中の第１リール〜第３リールのそれぞれを停止させる契機となる停止操作を遊技者に実行させるための停止操作手段としてのストップボタンＢ１〜ストップボタンＢ３及びクレジットされたメダルを精算するための精算ボタン６８も設けられている。
【００２１】
本実施形態のスロットマシン１では、遊技者がメダルをメダル投入口６９に投入するか、メダルが規定投入数以上にクレジットされている場合に、マックスベットボタン６６を押下する操作を行うことで、第１リール〜第３リールの回転制御を開始することが可能な準備状態にセットされる。そして、遊技者がスタートレバー６７を押下、つまり遊技者がスタートレバー６７に対して開始操作を実行すると、不図示の制御基板の制御により、第１リール〜第３リールをステッピングモータの駆動により回転開始させるとともに、乱数値を用いた内部抽選が行われ、第１リール〜第３リールの回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００２２】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、制御基板へ出力するリール停止信号をオン状態からオフ状態に変化させる。
【００２３】
そして、制御基板は、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リール〜第３リールを停止させる。
【００２４】
また、制御基板は、第１リール〜第３リールを停止させた後に、有効ライン上に停止している図柄の組合せ、つまり入賞した図柄の組合せに応じて、各種処理を実行する。制御基板が実行する各種処理としては、例えば、入賞した図柄の組合せがメダルの払い出しを伴う小役の図柄組合せである場合には、入賞した小役に設定されている配当に基づきホッパーユニットからメダルを払い出す払出処理や、入賞した図柄の組合せが遊技者にメダルを消費させることなく１回遊技を実行可能にするリプレイの図柄組合せである場合には、規定投入数のメダルを投入状態に設定するリプレイ処理等がある。
【００２５】
前面下扉６２には、各種の操作手段の他に、遊技情報表示部７０が設けられている。遊技情報表示部７０は、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計等の各種遊技情報が表示される。
【００２６】
また、前面下扉６２の下部には、不図示のメダル払出口とメダル受け皿７２とが設けられており、遊技の結果に応じた枚数のメダルがメダル払出口からメダル受け皿７２へ払い出されるようになっている。また、例えば、遊技機内にクレジットされたメダルが記憶されている状態で、精算ボタン６８が押下された場合、精算ボタン６８の押下に伴ってホッパーユニットからクレジット数（クレジットされたメダルの枚数）に相当する枚数のメダルを払い出す精算処理を実行し、メダル払出口からメダル受け皿７２へメダルを払い出す。
【００２７】
２．電飾装置の詳細
続いて、本実施形態に係る電飾装置２０の詳細について図２乃至図７を用いて説明する。図２は本実施形態における電飾装置の外観構成を示す斜視図、図３は本実施形態における電飾装置を前方側から視た分解斜視図、図４は本実施形態における電飾装置を後方側から視た分解斜視図、図５は本実施形態におけるインナーレンズを後方側から視た斜視図、図６は本実施形態における電飾装置の組立時を説明する分解斜視図、図７は本実施形態における基板とインナーレンズとの位置関係を示す断面図で、（ａ）は基板及びインナーレンズの全体を示す断面図、（ｂ）は（ａ）におけるＡ部分の拡大断面図である。
【００２８】
図２に示すように、本実施形態に係る電飾装置２０は、前面上扉６１の上部にあってスロットマシン１の外郭の一部を構成する外フレーム２１に、２つの左アウターレンズ２５ａ及び右アウターレンズ２５ｂからなるアウターレンズ２５が取付けられて、不図示の制御基板による演出制御に応じてアウターレンズ２５からスロットマシン１の前方に向けて発光することで、演出を盛り上げるように構成されている。
【００２９】
詳細には、図３及び図４に示すように、電飾装置２０は、大まかに、左アウターレンズ２５ａ及び右アウターレンズ２５ｂからなるアウターレンズ２５（第１透過部材）、外フレーム２１、内フレーム２２（支持部材）、左インナーレンズ２６ａ及び右インナーレンズ２６ｂからなるインナーレンズ２６（透過部材、第２透過部材）、基板２７、カバー２８を備えており、これらが、ネジ３１、ネジ３３、ネジ３５、ネジ３７によって螺合されて締結されることで一体ユニットの電飾装置２０として構成される。
【００３０】
上記外フレーム２１の前側には、それぞれ左アウターレンズ２５ａ及び右アウターレンズ２５ｂが嵌合される嵌合穴２１ａ及び嵌合穴２１ｂが形成されている。左アウターレンズ２５ａ及び右アウターレンズ２５ｂは、それぞれレンズ２５ａＬ及びレンズ２５ｂＬ（第１透過部）を有しており、それぞれ嵌合穴２１ａ及び嵌合穴２１ｂに嵌合された状態で、後側から複数のネジ３１が螺合されることによって外フレーム２１に固定され、これらのレンズ２５ａＬ及びレンズ２５ｂＬが、後述の基板２７からインナーレンズ２６を介して導光される光によって発光する。
【００３１】
また、外フレーム２１の後側は、内フレーム２２が接合される形状に形成されている。内フレーム２２は、外フレーム２１に組合された状態で後側からネジ３３が螺合されることによって外フレーム２１に固定されて接合される。また、内フレーム２２の後側には、それぞれ左インナーレンズ２６ａ及び右インナーレンズ２６ｂが嵌合される嵌合穴２２ａ及び嵌合穴２２ｂが形成されており、つまり内フレーム２２は、嵌合穴２２ａ及び嵌合穴２２ｂに嵌合される左インナーレンズ２６ａ及び右インナーレンズ２６ｂを支持する支持部材として構成されている。また、これら嵌合穴２２ａ及び嵌合穴２２ｂは、詳しくは後述する左インナーレンズ２６ａ及び右インナーレンズ２６ｂが略収納される深さに形成されており、左インナーレンズ２６ａ及び右インナーレンズ２６ｂは、内フレーム２２とそれに取付けられる基板２７との間に収納されて閉じ込められる。これにより、インナーレンズ２６は、アウターレンズ２５と基板２７との間にあって、左インナーレンズ２６ａのレンズ２６ａＬ（第２透過部）及び右インナーレンズ２６ｂのレンズ２６ｂＬ（第２透過部）（図５参照）が基板２７から所定距離Ｄ（図７（ａ）参照）の位置に配置されることになる。
【００３２】
上記基板２７は、上記インナーレンズ２６が対向する面である前面２７ａ（図３参照）に、複数の発光源としてのＬＥＤ４１が設置されており、前面２７ａとは反対側の面である後面２７ｂ（図４参照）に、各ＬＥＤ４１に電源や発光制御信号を供給するケーブルが接続される左外側コネクタ４２、左内側コネクタ４３、中央コネクタ４４、右内側コネクタ４５、右外側コネクタ４６が設置されている。この基板２７は、内フレーム２２の後側から左インナーレンズ２６ａ及び右インナーレンズ２６ｂを閉塞して収納した状態で、複数のネジ３５が螺合されることによって内フレーム２２に固定される。
【００３３】
そして、カバー２８は、前側の外縁が内フレーム２２に嵌合する形状に形成されており、インナーレンズ２６及び基板２７を覆うように内フレーム２２に嵌合されて取付けられた状態で、複数のネジ３７が螺合されることによって内フレーム２２に固定される。このカバー２８には、上述した基板２７の左外側コネクタ４２、左内側コネクタ４３、中央コネクタ４４、右内側コネクタ４５、右外側コネクタ４６に対応する位置に、左側貫通孔２８ａ、中央貫通孔２８ｂ、右側貫通孔２８ｃが形成されており、カバー２８が内フレーム２２に固定された状態、つまり電飾装置２０がユニットとして完成した状態で、左側貫通孔２８ａを介して左外側コネクタ４２及び左内側コネクタ４３に、中央貫通孔２８ｂを介して中央コネクタ４４に、右側貫通孔２８ｃを介して右内側コネクタ４５及び右外側コネクタ４６に、それぞれ配線ケーブルを挿し込んで接続可能となるように構成されている。
【００３４】
次に、上記インナーレンズ２６の詳細な構造について説明する。図５に示すように、上述したインナーレンズ２６としては、左インナーレンズ２６ａと右インナーレンズ２６ｂとを含んでいる。そのうちの左インナーレンズ２６ａは、前側にレンズ２６ａＬを有しており、複数本の脚部として、レンズ２６ａＬの外縁２６ａｏｕｔから後側（基板２７側）に向かって延びる複数（４本）の外縁脚部２６ｃと、レンズ２６ａＬの中央部分から後側（基板２７側）に向かって延びる中央脚部２６ｄとを有している。この中央脚部２６ｄは、基板２７の前面２７ａ及び後面２７ｂに直交する方向において左内側コネクタ４３と少なくとも一部が重なる位置に配置されている。これら外縁脚部２６ｃの先端２６ｅと中央脚部２６ｄの先端２６ｆとは、平面状に形成されており、略同一平面上に位置し、つまり外縁脚部２６ｃと中央脚部２６ｄとは略同じ長さに形成されている。
【００３５】
また、右インナーレンズ２６ｂも同様に、前側にレンズ２６ｂＬを有しており、複数本の脚部として、レンズ２６ｂＬの外縁２６ｂｏｕｔから後側（基板２７側）に向かって延びる複数（４本）の外縁脚部２６ｇと、レンズ２６ｂＬの中央部分から後側（基板２７側）に向かって延びる中央脚部２６ｈとを有している。この中央脚部２６ｈは、基板２７の前面２７ａ及び後面２７ｂに直交する方向において右内側コネクタ４５と少なくとも一部が重なる位置に配置されている。これら外縁脚部２６ｇの先端２６ｉと中央脚部２６ｈの先端２６ｊとも、平面状に形成されており、略同一平面上に位置し、つまり外縁脚部２６ｇと中央脚部２６ｈとは略同じ長さに形成されている。そして、上記内フレーム２２の嵌合穴２２ａ及び嵌合穴２２ｂが略同じ深さに形成されているため、左インナーレンズ２６ａと右インナーレンズ２６ｂとが上記内フレーム２２に収納された状態では、上記左インナーレンズ２６ａの外縁脚部２６ｃの先端２６ｅ及び中央脚部２６ｄの先端２６ｆと、上記右インナーレンズ２６ｂの外縁脚部２６ｇの先端２６ｉ及び中央脚部２６ｈの先端２６ｊと、が略同一平面上に位置することになる。
【００３６】
また、このように左インナーレンズ２６ａと右インナーレンズ２６ｂとに、それぞれ外縁脚部２６ｃ及び中央脚部２６ｄと、外縁脚部２６ｇ及び中央脚部２６ｈとを有しているため、図６に示すように、内フレーム２２に左インナーレンズ２６ａを取付ける際には、外縁脚部２６ｃ及び中央脚部２６ｄの何れかを掴んで取付けることができ、また、内フレーム２２に右インナーレンズ２６ｂを取付ける際には、外縁脚部２６ｇ及び中央脚部２６ｈの何れかを掴んで取付けることができるので、これら左インナーレンズ２６ａと右インナーレンズ２６ｂとの取付け作業が容易になる。
【００３７】
また、左インナーレンズ２６ａ及び右インナーレンズ２６ｂがそれぞれ有する外縁脚部２６ｃ及び外縁脚部２６ｇは、内フレーム２２の嵌合穴２２ａ及び嵌合穴２２ｂの内壁に沿って形成されているので、それら外縁脚部２６ｃ及び外縁脚部２６ｇと、嵌合穴２２ａ及び嵌合穴２２ｂの内壁とが接して、左インナーレンズ２６ａと右インナーレンズ２６ｂとにぐらつきが生じることを防止していると共に、例えばレンズ２６ａＬの外縁２６ａｏｕｔ及びレンズ２６ｂＬの外縁２６ｂｏｕｔ（図５参照）から周回形状で外壁を設ける場合に比して、軽量化及びコストダウンが図られている。
【００３８】
そして、内フレーム２２に左インナーレンズ２６ａと右インナーレンズ２６ｂとを取付け、さらに基板２７を内フレーム２２に取付けると、図７（ａ）に示すように、左インナーレンズ２６ａの外縁脚部２６ｃ及び中央脚部２６ｄ（右インナーレンズ２６ｂの外縁脚部２６ｇ及び中央脚部２６ｈも同様である）が基板２７に近接した状態で位置決めされる。これにより、左インナーレンズ２６ａのレンズ２６ａＬは、基板２７の前面２７ａから所定距離Ｄの位置に位置決めされて配置される。またこの際、図７（ｂ）に示すように、中央脚部２６ｄの先端２６ｆと基板２７の前面２７ａとの間には、所定間隔ｄとなるクリアランスを有するように構成されており、つまり中央脚部２６ｄの先端２６ｆと、基板２７の前面２７ａとが押し付け合って基板２７に負荷がかかることや基板２７の前面２７ａにある配線パターン等を傷付けてしまうことの防止が図られている。また、このクリアランスの所定間隔ｄは、中央脚部２６ｄの製造誤差による長さのバラツキがあっても、基板２７の前面２７ａに接触せず、押し付けられない程度の間隔になるように設計されている。
【００３９】
なお、ここでは左インナーレンズ２６ａの中央脚部２６ｄと基板２７との関係を用いて説明しているが、外縁脚部２６ｃと基板２７とのクリアランスも同様な構成となっており、さらに、右インナーレンズ２６ｂの外縁脚部２６ｇ及び中央脚部２６ｈと基板２７との関係も同様な構成となっている。また、クリアランスは、設計上、外縁脚部２６ｃ（外縁脚部２６ｇ）及び中央脚部２６ｄ（中央脚部２６ｈ）の長さが基板２７の前面２７ａに到達しないような長さに設計してもよいし、基板２７の前面２７ａに凹形状が形成されていてもよい。この凹形状は、前面２７ａの配線パターンが外縁脚部２６ｃ（外縁脚部２６ｇ）及び中央脚部２６ｄ（中央脚部２６ｈ）に対向する位置を通らないように設計することで、配線パターンの被覆を含める厚みが無くなる分で上記クリアランスとしての機能を達成することもできる。
【００４０】
このように、内フレーム２２に左インナーレンズ２６ａと右インナーレンズ２６ｂとを取付け、さらに基板２７を内フレーム２２に取付けた状態で、さらにカバー２８が取付けられると、電飾装置２０としてのユニットが完成する。この状態で、例えば上記左内側コネクタ４３にカバー２８の左側貫通孔２８ａ（例えば図４参照）を介して配線ケーブル（不図示）を挿し込むときは、図７（ａ）に示す左内側コネクタ４３が前方に向けて押圧されて、内フレーム２２により端部が支持されている基板２７が前方に向かって撓むことになるが、この際、クリアランスの分だけ撓むと中央脚部２６ｄの先端２６ｆに当接して、左インナーレンズ２６ａが内フレーム２２の嵌合穴２２ａに嵌合されて前方に対しては移動不能に支持されているため、それ以上の基板２７の撓みが抑えられる。
【００４１】
なお、ここでも左内側コネクタ４３に配線ケーブルを挿し込むときであって、左インナーレンズ２６ａの中央脚部２６ｄと基板２７との関係を用いて説明しているが、左外側コネクタ４２に配線ケーブルを挿し込むとき、中央コネクタ４４に配線ケーブルを挿し込むとき、右内側コネクタ４５に配線ケーブルを挿し込むとき、右外側コネクタ４６に配線ケーブルを挿し込むときにあっても、同様であり、つまり外縁脚部２６ｃと基板２７との間でも同様に基板２７の撓みが抑えられ、さらに、右インナーレンズ２６ｂの外縁脚部２６ｇ及び中央脚部２６ｈと基板２７との間でも同様に基板２７の撓みが抑えられる。
【００４２】
以上のように構成された電飾装置２０において、不図示の配線ケーブルからの電気信号を受けて基板２７のＬＥＤ４１が発光制御された場合、左インナーレンズ２６ａに対向する部分に配置されたＬＥＤ４１が発光すると、左インナーレンズ２６ａのレンズ２６ａＬを透過することで拡散されながら左アウターレンズ２５ａに到達して、左アウターレンズ２５ａが発光する。また、右インナーレンズ２６ｂに対向する部分に配置されたＬＥＤ４１が発光すると、右インナーレンズ２６ｂのレンズ２６ｂＬを透過することで拡散されながら右アウターレンズ２５ｂに到達して、右アウターレンズ２５ｂが発光する。この際、左インナーレンズ２６ａの外縁脚部２６ｃ及び中央脚部２６ｄ、右インナーレンズ２６ｂの外縁脚部２６ｇ及び中央脚部２６ｈは、それぞれ左アウターレンズ２５ａと右アウターレンズ２５ｂとによって目隠しされるため、視認されることはなく、発光時のデザイン性に影響を及ぼすことはない。
【００４３】
また、アウターレンズ２５と基板２７との間には、インナーレンズ２６が配置されているため、例えばアウターレンズ２５に脚部を設けて基板２７に加わる外力を支持することができないが、インナーレンズ２６に外縁脚部２６ｃ，２６ｇ及び中央脚部２６ｄ，２６ｈを有していることで、インナーレンズ２６によって基板２７に加わる外力を支持して、基板２７を撓み難くすることが可能となっている。
【００４４】
３．本実施形態のまとめ
以上説明した本実施形態に係るスロットマシン１は、電飾装置２０のインナーレンズ２６において、先端が基板２７の前面２７ａに近接する外縁脚部２６ｃ，２６ｇ及び中央脚部２６ｄ，２６ｈを有しているので、基板２７に配線ケーブルの挿し込み等によって外力が加わったとしても基板２７に外縁脚部２６ｃ，２６ｇ及び中央脚部２６ｄ，２６ｈの先端２６ｅ，２６ｆ，２６ｊ，２６ｉが当接することで基板２７を支持することができ、基板２７の撓みを抑えて撓み難くすることができる。また、インナーレンズ２６を内フレーム２２に組付ける場合には、外縁脚部２６ｃ，２６ｇ及び中央脚部２６ｄ，２６ｈの何れかを掴んで取付け作業を行うことができ、取付け作業を容易にすることができる。
【００４５】
また、外縁脚部２６ｃ，２６ｇ及び中央脚部２６ｄ，２６ｈの先端２６ｅ，２６ｆ，２６ｊ，２６ｉと基板２７の前面２７ａとの間にクリアランスを有しているので、基板２７に負荷がかかることや基板２７を傷付けてしまうことの防止を図ることができる。
【００４６】
また、中央脚部２６ｄ，２６ｈの先端２６ｆ，２６ｉは、基板２７の前面２７ａ及び後面２７ｂに直交する方向において左内側コネクタ４３及び右内側コネクタ４５と少なくとも一部が重なる位置に配置されているので、左内側コネクタ４３及び右内側コネクタ４５に配線ケーブルを挿し込むときに、基板２７の前面２７ａに中央脚部２６ｄ，２６ｈの先端２６ｆ，２６ｉが当接することで支持し、基板２７に生じる外力によって基板２７が大きく撓むことを防止して、基板２７を撓み難くすることできる。
【００４７】
また、インナーレンズ２６は、レンズ２６ａＬの外縁２６ａｏｕｔ及びレンズ２６ｂＬの外縁２６ｂｏｕｔに沿った位置から延びる外縁脚部２６ｃ、２６ｇを含んでいるので、内フレーム２２の嵌合穴２２ａ及び嵌合穴２２ｂの内壁に接することでインナーレンズ２６のぐらつきを防止でき、また、例えばレンズ２６ａＬの外縁２６ａｏｕｔ及びレンズ２６ｂＬの外縁２６ｂｏｕｔから周回形状で外壁を設ける場合に比して、軽量化及びコストダウンを図ることができる。
【００４８】
また、本実施形態に係るスロットマシン１は、アウターレンズ２５と基板２７との間にインナーレンズ２６を備えており、そのインナーレンズ２６に外縁脚部２６ｃ，２６ｇ及び中央脚部２６ｄ，２６ｈを有しているので、例えばアウターレンズ２５に脚部を設けて基板２７に加わる外力を支持することができないが、インナーレンズ２６によって基板２７に加わる外力を支持して、基板２７を撓み難くすることができる。
【００４９】
４．変形例
なお、以上説明した本実施形態に係るスロットマシン１においては、アウターレンズ２５を備えたものを説明したが、これに限らず、アウターレンズを備えずに、インナーレンズが外部に対して露出した形のもの、つまりレンズが二重構造ではなく一重構造のものであってもよい。
【００５０】
また、本実施形態においては、アウターレンズとインナーレンズとをレンズであるものとして説明したが、これに限らず、光を透過するものであればよく、例えば半透明の平板などであってもよい。
【００５１】
また、本実施形態においては、内フレーム２２に基板２７が支持されたものを説明したが、例えばアウターレンズに基板が支持され、それらの間にインナーレンズが介在しているような構造にあっても、外フレームにアウターレンズ、インナーレンズ、基板が支持されているような構造にあってもよく、つまり透過部材を支持する支持部材はどのようなものであってもよい。
【００５２】
また、本実施形態においては、発光源としてＬＥＤ発光体を用いたものを説明したが、これに限らず、発光源として白熱灯、蛍光灯、豆電球など、要するにどのような発光源であってもよい。
【００５３】
また、本実施形態においては、外縁脚部及び中央脚部の先端と、基板の前面との間にクリアランスを設けたものを説明したが、これに限らず、常時接触した状態となるように構成したものであってもよい。また、外縁脚部の先端はクリアランス無しで基板の前面に当接し、中央脚部だけが基板の前面との間にクリアランスを有しているものであってもよい。
【００５４】
また、本実施形態においては、中央脚部だけが基板を介してコネクタに対応する位置に配置されたものを説明したが、外縁脚部がコネクタに対応する位置に配置されていてもよい。言い換えると、脚部の位置に合わせてコネクタを配置してもよい。また、５個のコネクタのうちの左内側コネクタ４３と右内側コネクタ４５とに対応する位置に中央脚部２６ｄ，２６ｈを設けたものを説明したが、全てのコネクタに対応する位置に脚部を設けてもよく、また反対に、基板の撓みが生じ易いコネクタだけを選択的に対応するように、その位置に脚部を設けてもよい。
【００５５】
また、本実施形態では遊技機としてのスロットマシン１を一例として説明したが、本発明は弾球遊技機等のパチンコ機を含む各種の遊技機に適用可能であり、例えばパチンコ機における遊技盤に配置された電飾装置、役物を証明する電飾装置、ガラス板の外部にあって上方部分や側方部分に配置される電飾装置、上皿や下皿等に配置される電飾装置など、どのようなものにも適用可能である。
【符号の説明】
【００５６】
１…遊技機（スロットマシン）：２０…電飾装置：２２…支持部材（内フレーム）：２５…第１透過部材（アウターレンズ）：２５ａＬ…第１透過部（レンズ）：２５ｂＬ…第１透過部（レンズ）：２６…透過部材、第２透過部材（インナーレンズ）：２６ａＬ…透過部、第２透過部（レンズ）：２６ｂＬ…透過部、第２透過部（レンズ）：２６ｃ…脚部（外縁脚部）：２６ｄ…脚部（中央脚部）：２６ｅ…先端：２６ｆ…先端：２６ｇ…脚部（外縁脚部）：２６ｈ…脚部（中央脚部）：２６ｉ…先端：２６ｊ…先端：２７…基板：２７ａ…透過部が対向する面（前面）：２７ｂ…反対側の面（後面）：４１…発光源（ＬＥＤ）：４３…コネクタ（左内側コネクタ）：４５…コネクタ（右内側コネクタ）：Ｄ…所定距離
【図１】
2018158030.tif 000003
【図２】
2018158030.tif 000004
【図３】
2018158030.tif 000005
【図４】
2018158030.tif 000006
【図５】
2018158030.tif 000007
【図６】
2018158030.tif 000008
【図７】
2018158030.tif 000009